(57)【要約】【課題】ユーザの使用感を損ねることなく音情報を選択することが可能な携帯電話装置及び携帯電話装置の制御方法を提供する。【解決手段】携帯電話装置は、音情報の出力に係る所定のアプリケーションを、当該アプリケーションによる音出力を維持させつつ非アクティブ状態とするバックグラウンド実行状態に移行した状態において、第１キーが操作されると、当該第１キーに対応する文字を表示部に文字列として表示させると共に当該第１キーに対応する数字を表示部に数字列として表示させ、文字列と数字列とが共に表示される状態において第２キーが操作された場合には、所定のアプリケーションに、音出力の対象となる音情報について文字列に基づいて選択指示する選択処理を行い、文字列と数字列とが共に表示される状態において第３キーが操作された場合には、数字列に基づいた発信処理を行う。【選択図】図４
2011097299.tif 000002
【特許請求の範囲】
【請求項１】
表示部と、
文字及び数字が割り当てられる第１キーと、文字及び数字が割り当てられない第２キーと、文字及び数字が割り当てられておらず、前記第２キーとは異なる機能が割り当てられる第３キーとを含むキー操作部と、
音情報の出力に係る所定のアプリケーションを、当該アプリケーションによる音出力を維持させつつ非アクティブ状態とするバックグラウンド実行状態に移行可能なアプリケーション制御部と、
前記アプリケーション制御部により前記所定のアプリケーションがバックグラウンド実行された状態において前記第１キーが操作されると、当該第１キーに対応する文字を前記表示部に文字列として表示させると共に当該第１キーに対応する数字を前記表示部に数字列として表示させ、前記文字列と前記数字列とが共に表示される状態において前記第２キーが操作された場合には、前記所定のアプリケーションに、音出力の対象となる音情報について前記文字列に基づいて選択指示する選択処理を行い、前記文字列と前記数字列とが共に表示される状態において前記第３キーが操作された場合には、前記数字列に基づいた発信処理を行う処理部と、を備えることを特徴とする携帯電話装置。
【請求項２】
前記音情報として複数の音データを記憶する記憶部をさらに備え、
前記処理部は、前記選択処理を行う際、前記複数の音データのうちのいずれか１を、前記文字列に基づいて検索し、当該検索された音データを選択して音出力させることを特徴とする請求項１に記載の携帯電話装置。
【請求項３】
前記処理部は、前記第３キーが操作された場合において、前記数字列が所定桁数以上である場合には、前記数字列に基づいた発信処理を行い、前記数字列が所定桁数以上ではない場合には、前記数字列に基づいて音情報を選択指示する選択処理を行うことを特徴とする請求項１に記載の携帯電話装置。
【請求項４】
前記処理部は、前記数字列が所定桁数以上ではない場合において、前記数字列が特定の数字列の場合には、前記数字列を緊急発信番号をとして発信処理を行うことを特徴とする請求項３に記載の携帯電話装置。
【請求項５】
前記第２キーは、ソフトキーであることを特徴とする請求項１ないし４のいずれかに記載の携帯電話装置。
【請求項６】
表示部と、
文字及び数字が割り当てられる第１キーと、文字及び数字が割り当てられない第２キーとを含むキー操作部と、
音情報の出力に係り、音情報と所定の文字列とを対応づけた情報を有する所定のアプリケーションを、当該アプリケーションによる音出力を維持させつつ非アクティブ状態とするバックグラウンド実行状態に移行可能なアプリケーション制御部と、
前記アプリケーション制御部により前記所定のアプリケーションがバックグラウンド実行状態において前記第１キーが操作されると、前記所定の文字列を前記表示部に表示させ、前記第２キーの操作により前記所定の文字列が選択されると、前記情報に基づいて当該所定の文字列に対応する前記音情報を特定する特定処理を行う処理部と、を備えることを特徴とする携帯電話装置。
【請求項７】
表示部と、
文字及び数字が割り当てられる第１キーを含むキー操作部と、
音情報の出力に係る所定のアプリケーションを、当該アプリケーションによる音出力を維持させつつ非アクティブ状態とするバックグラウンド実行状態に移行可能なアプリケーション制御部と、
前記アプリケーション制御部により前記所定のアプリケーションがバックグラウンド実行された状態において前記第１キーが操作されると、当該第１キーに対応する数字を前記表示部に数字列として表示させ、前記数字列が所定桁数以上の場合には、前記数字列に基づいて発信関係の処理を行い、前記数字列が所定桁数以上ではない場合には、当該数字列に基づいて音情報を選択する関係の処理を行う処理部と、を備えることを特徴とする携帯電話装置。
【請求項８】
無線通信部をさらに備え、
前記第１キーは、前記無線通信部により発呼を行うための電話番号を入力可能なテンキーであることを特徴とする請求項１から７のいずれか一項に記載の携帯電話装置。
【請求項９】
音情報の出力に係る所定のアプリケーションを、当該アプリケーションによる音出力を維持させつつ非アクティブ状態とするバックグラウンド実行状態に移行させる工程と、
第１の操作が行われると、前記第１の操作に基づいて文字列を表示させると共に前記第１の操作に基づいて数字列を表示させ、前記文字列と前記数字列とが共に表示される状態において第２の操作が行われる場合には、前記所定のアプリケーションに、音出力の対象となる音情報について前記文字列に基づいて選択指示する選択処理を行い、前記文字列と前記数字列とが共に表示される状態において第３の操作が行われる場合には、前記数字列に基づいた発信処理を行う工程と、を実行することを特徴とする携帯電話装置の制御方法。
【発明の詳細な説明】
【技術分野】
【０００１】
本発明は、音情報を出力する機能を備えた携帯電話装置及び携帯電話装置の制御方法に関する。
【背景技術】
【０００２】
携帯電話装置は、音楽データ等の音情報を記憶する記憶部と、記憶部に記憶された複数の音情報の中から１つを選択するために操作される操作部と、操作部の操作に基づいて選択された音情報を出力する出力部とを備える（特許文献１参照）。
特に、近年の携帯電話装置は、待受画面（通信を待ち受けているとき又はアプリケーションの起動を待ち受けているときに表示される画面）が表示部に表示される場合に、出力部から音情報を出力する、すなわちバックグラウンド音楽再生を行うことができる。
【先行技術文献】
【特許文献】
【０００３】
【特許文献１】特開２００１−２４５０２６号公報
【発明の概要】
【発明が解決しようとする課題】
【０００４】
携帯電話装置では、操作部を操作することにより、複数の音情報の中から１つを選択することができる。例えば、携帯電話装置では、音情報のファイル名（曲名）を表示部に表示し、操作部の操作に基づいて表示部に表示されるファイル名を順送りし、所望のファイル名（音情報）が見つかった場合には、操作部の操作に基づいて所望のファイル名を選択するようになっている。
このような携帯電話装置では、ファイル名の検索を行うことができないために、所望のファイル名（音情報）を選択するまでの操作性が悪いという問題があった。
【０００５】
本発明は、ユーザの使用感を損ねることなく音情報を選択することが可能な携帯電話装置及び携帯電話装置の制御方法を提供することを目的とする。
【課題を解決するための手段】
【０００６】
本発明の携帯電話装置は、表示部と、文字及び数字が割り当てられる第１キーと、文字及び数字が割り当てられない第２キーと、文字及び数字が割り当てられておらず、前記第２キーとは異なる機能が割り当てられる第３キーとを含むキー操作部と、音情報の出力に係る所定のアプリケーションを、当該アプリケーションによる音出力を維持させつつ非アクティブ状態とするバックグラウンド実行状態に移行可能なアプリケーション制御部と、前記アプリケーション制御部により前記所定のアプリケーションがバックグラウンド実行された状態において前記第１キーが操作されると、当該第１キーに対応する文字を前記表示部に文字列として表示させると共に当該第１キーに対応する数字を前記表示部に数字列として表示させ、前記文字列と前記数字列とが共に表示される状態において前記第２キーが操作された場合には、前記所定のアプリケーションに、音出力の対象となる音情報について前記文字列に基づいて選択指示する選択処理を行い、前記文字列と前記数字列とが共に表示される状態において前記第３キーが操作された場合には、前記数字列に基づいた発信処理を行う処理部と、を備えることを特徴とする。
【０００７】
上記の携帯電話装置は、前記音情報として複数の音データを記憶する記憶部をさらに備え、前記処理部は、前記選択処理を行う際、前記複数の音データのうちのいずれか１を、前記文字列に基づいて検索し、当該検索された音データを選択して音出力させることが好ましい。
【０００８】
また、前記処理部は、前記第３キーが操作された場合において、前記数字列が所定桁数以上である場合には、前記数字列に基づいた発信処理を行い、前記数字列が所定桁数以上ではない場合には、前記数字列に基づいて音情報を選択指示する選択処理を行うことが好ましい。
【０００９】
また、前記処理部は、前記数字列が所定桁数以上ではない場合において、前記数字列が特定の数字列の場合には、前記数字列を緊急発信番号をとして発信処理を行うことが好ましい。
【００１０】
また、前記第２キーは、ソフトキーであることが好ましい。
【００１１】
また、本発明の携帯電話装置は、表示部と、文字及び数字が割り当てられる第１キーと、文字及び数字が割り当てられない第２キーとを含むキー操作部と、音情報の出力に係り、音情報と所定の文字列とを対応づけた情報を有する所定のアプリケーションを、当該アプリケーションによる音出力を維持させつつ非アクティブ状態とするバックグラウンド実行状態に移行可能なアプリケーション制御部と、前記アプリケーション制御部により前記所定のアプリケーションがバックグラウンド実行状態において前記第１キーが操作されると、前記所定の文字列を前記表示部に表示させ、前記第２キーの操作により前記所定の文字列が選択されると、前記情報に基づいて当該所定の文字列に対応する前記音情報を特定する特定処理を行う処理部と、を備えることを特徴とする。
【００１２】
また、本発明の携帯電話装置は、表示部と、文字及び数字が割り当てられる第１キーを含むキー操作部と、音情報の出力に係る所定のアプリケーションを、当該アプリケーションによる音出力を維持させつつ非アクティブ状態とするバックグラウンド実行状態に移行可能なアプリケーション制御部と、前記アプリケーション制御部により前記所定のアプリケーションがバックグラウンド実行された状態において前記第１キーが操作されると、当該第１キーに対応する数字を前記表示部に数字列として表示させ、前記数字列が所定桁数以上の場合には、前記数字列に基づいて発信関係の処理を行い、前記数字列が所定桁数以上ではない場合には、当該数字列に基づいて音情報を選択する関係の処理を行う処理部と、を備えることを特徴とする。
【００１３】
上記の携帯電話装置は、無線通信部をさらに備え、前記第１キーは、前記無線通信部により発呼を行うための電話番号を入力可能なテンキーであることが好ましい。
【００１４】
本発明の携帯電話装置の制御方法は、音情報の出力に係る所定のアプリケーションを、当該アプリケーションによる音出力を維持させつつ非アクティブ状態とするバックグラウンド実行状態に移行させ、第１の操作が行われると、前記第１の操作に基づいて文字列を表示させると共に前記第１の操作に基づいて数字列を表示させ、前記文字列と前記数字列とが共に表示される状態において第２の操作が行われる場合には、前記所定のアプリケーションに、音出力の対象となる音情報について前記文字列に基づいて選択指示する選択処理を行い、前記文字列と前記数字列とが共に表示される状態において第３の操作が行われる場合には、前記数字列に基づいた発信処理を行うことを特徴とする。
【発明の効果】
【００１５】
本発明によれば、ユーザの使用感を損ねることなく音情報を選択することができる。
【図面の簡単な説明】
【００１６】
【図１】本発明の携帯電話装置の一実施形態に係る携帯電話機の外観斜視図である。
【図２】携帯電話機の機能を示す機能ブロック図である。
【図３】キーアサインについての説明に供する図である。
【図４】携帯電話機が機能を発揮するための構成を示す機能ブロック図である。
【図５】携帯電話機の制御方法について説明するためのフローチャートである。
【図６】所定のアプリケーション及びエディタアプリケーションを起動する場合の携帯電話機の動作を説明するためのフローチャートである。
【図７】エディタアプリケーションに文字列及び数字列を入力する場合の画面状態の遷移について説明するための図である。
【図８】所定のアプリケーション起動モードにおける携帯電話機の動作について説明するためのフローチャートである。
【図９】エディタアプリケーションに文字列及び数字列が入力されたことに基づいて、文字列及び数字列と共に所定の文字列を表示部に表示させる場合の画面状態の遷移について説明するための図である。
【図１０】エディタアプリケーションに文字列及び数字列が入力されたことに基づいて、文字列及び数字列と共に所定の文字列を表示部に表示させる場合の携帯電話機の動作を説明するためのフローチャートである。
【図１１】表示部に表示されたソフトキーの操作に基づいて、所定のアプリケーションが動作する場合の画面状態の遷移について説明するための図である。
【図１２】表示部に表示されたソフトキーの操作に基づいて、所定のアプリケーションが動作する場合の携帯電話機の動作を説明するためのフローチャートである。
【発明を実施するための形態】
【００１７】
以下、本発明の一実施形態について説明する。図１は、本発明の携帯電話装置の一実施形態に係る携帯電話機１の外観斜視図である。なお、図１は、いわゆる折り畳み型の携帯電話機の形態を示しているが、本発明に係る携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００１８】
携帯電話機１は、操作部側筐体部２と、表示部側筐体部３とを備える。操作部側筐体部２は、表面部１０に、操作部１１（キー操作部）と、携帯電話機１の使用者が通話時に発した音声を入力するマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部２１と一体に形成されたタッチパネル上に配置するようにしてもよい。
【００１９】
また、表示部側筐体部３は、表面部２０に、各種情報を表示する表示部２１と、通話の相手側の音声を出力するスピーカ２２とを備える。
【００２０】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２１】
また、図２は、携帯電話機１の機能を示す機能ブロック図である。携帯電話機１は、図２に示すように、操作部１１と、マイク１２と、メインアンテナ４０と、ＲＦ回路部４１と、画像処理部４２と、音声処理部４３と、メモリ４４（記憶部）と、制御部４５とを操作部側筐体部２に備える。また、携帯電話機１は、図２に示すように、表示部２１と、スピーカ２２と、ドライバＩＣ２３とを表示部側筐体部３に備える。
【００２２】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２３】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度を制御部４５に通知する。
【００２４】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２５】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２６】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２７】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００２８】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４及び決定操作キー１５）に割り当てる文字・数字・記号や機能を変化させる。
【００２９】
具体的には、操作部１１は、いずれかのキーが押下されたときに、当該キーの位置情報（例えば、図３（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図３（ｂ）〜図３（ｄ）に示すように、複数のキーアサインテーブルが格納されている。なお、図３（ｂ）は、電話発信を行う際に利用されるテーブルであり、図３（ｃ）は、メモ帳アプリケーションやメールアプリケーションにおいて利用されるテーブルであり、図３（ｄ）は、テレビアプリケーションにおいてチャンネルを変更する際に利用されるテーブルである。
【００３０】
なお、記号の処理の実行とは、例えば、現在アクティブになっているアプリケーションがメモ帳の場合には、「１」や「あ」を表示部２１に表示することを意味している。また、機能の処理の実行とは、例えば、現在アクティブになっているアプリケーションがテレビの場合には、表示チャンネルを１ｃｈに設定することを意味している。
【００３１】
また、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３２】
このように構成される携帯電話機１は、ユーザの使用感を損ねることなく音情報を選択する機能を有する。
以下に、携帯電話機１に係る上記機能を発揮するための構成と動作について詳述する。まず、本実施形態に係る携帯電話機１の上記機能を発揮するための構成について、図４を参照しながら説明する。図４は、携帯電話機１が上記機能を発揮するための構成を示す機能ブロック図である。
【００３３】
携帯電話機１は、表示部２１（図２参照）と、操作部１１と、アプリケーション制御部４５１と、処理部４５２とを備える。
操作部１１は、第１キーと、第２キーと、第３キーとを含む。第１キーには、文字及び数字が割り当てられる。第２キーには、文字及び数字が割り当てられない。第３キーには、文字及び数字が割り当てられておらず、第２キーとは異なる機能が割り当てられる。本実施形態の場合、第１キーは、入力操作キー１４に対応する。第２キーは、決定操作キー１５に対応する。第３キーは、発信キー１６に対応する。
【００３４】
アプリケーション制御部４５１は、音情報の出力に係る所定のアプリケーションを、当該アプリケーションによる音出力を維持させつつ非アクティブ状態とするバックグラウンド実行状態に移行可能である。このバックグラウンド実行状態においては、待受画面を表示するための待ち受けアプリケーションなどの他のアプリケーションを実行、アクティブ化することができる。
【００３５】
所定のアプリケーションは、音情報（音声データや音楽データ等）を後述するイヤホン４７（又はスピーカ２２）から出力することができるアプリケーションである。具体的な一例としては、所定のアプリケーションは、メモリ４４に記憶された音楽データ、又はメインアンテナ４０とＲＦ回路部４１とを用いて受信する音楽データ等を再生（音出力）することができる音楽アプリケーションである。また、所定のアプリケーションは、テレビやラジオ等の放送波を受信するための放送波受信用アンテナ（不図示）と放送波受信回路（不図示）とを用いて受信する放送番組（音情報）を出力（音出力）する放送アプリケーションであってもよい。
【００３６】
アプリケーション制御部４５１は、待受画面（通信を待ち受けているとき又はアプリケーションの起動を待ち受けているときに表示される画面）を表示部２１に表示させている、すなわち待ち受けアプリケーションをアクティブにしている場合にも、非アクティブ状態となっている所定のアプリケーションがあれば、例えば、音楽アプリケーションが非アクティブ状態での実行状態にあれば、音楽データに基づく音楽を後述するイヤホン４７（又はスピーカ２２）から出力（バックグラウンド実行）させるよう制御する。
【００３７】
なお、所定のアプリケーションは、メモリ４４のアプリケーション格納部４４１に格納される。アプリケーション格納部４４１に格納された所定のアプリケーションは、アプリケーション起動部４５３によって起動される。アプリケーション起動部４５３により起動された所定のアプリケーションは、アプリケーション制御部４５１によってバックグラウンド実行状態に移行される。
【００３８】
処理部４５２は、アプリケーション制御部４５１により所定のアプリケーションがバックグラウンド実行された状態において入力操作キー１４が操作されると、当該入力操作キー１４に対応する文字を表示部２１に文字列として表示させると共に当該入力操作キー１４に対応する数字を表示部２１に数字列として表示させる。また、制御部４５２は、文字列と数字列とが共に表示される状態において決定操作キー１５が操作された場合には、入力された文字列に基づいて所定のアプリケーションに、音出力の対象となる音情報について選択指示する選択処理を行い、文字列と数字列とが共に表示される状態において発信キー１６が操作された場合には、入力された数字列に基づいた発信処理を行う。すなわち、処理部４５２は、発信キー１６が操作された場合、表示部２１に表示される数字列を電話番号として発信処理を行う。
【００３９】
したがって、携帯電話機１は、容易に発信することを可能としつつも、所望の音情報に関連する文字列を入力操作キー１４により入力させ、決定操作キー１５を操作すれば所望の音情報を選択するので、ユーザの使用感を損ねることなく音情報を選択することができる。
【００４０】
また、携帯電話機１は、音情報として複数の音データを記憶するメモリ４４をさらに備える。この場合、処理部４５２は、選択処理を行う際、複数の音データのうちのいずれかを、文字列に基づいて検索し、当該検索された音データを選択して音出力させる。
したがって、携帯電話機１は、所望の音データに関連する文字列を入力操作キー１４により入力させ、決定操作キー１５を操作すれば、複数の音データの中から所望の音データを選択するので、ユーザの使用感を損ねることなく音情報を選択することができる。
【００４１】
また、処理部４５２は、発信キー１６が操作された場合において、数字列が所定桁数以上である場合には、数字列に基づいた発信処理を行い、数字列が所定桁数以上ではない場合には、数字列に基づいて音情報を選択指示する選択処理を行う。
【００４２】
すなわち、処理部４５２は、数字列が電話番号を構成する数字の桁数（例えば、７桁）以上である場合には、数字列を電話番号として発信処理を行う。
また、処理部４５２は、数字列が電話番号を構成する数字の桁数未満である場合には、数字列が電話番号ではないと判断して、音情報の選択指示を行う。例えば、メモリ４４において、所定番号毎に１つの音楽データが記憶される場合に、処理部４５２は、数字列に一致する所定番号に記憶された音楽データを検索し、選択するよう指示する。
【００４３】
したがって、携帯電話機１は、所望の音情報に関連する数字列を入力操作キー１４により入力させ、決定操作キー１５を操作すれば所望の音情報を選択するので、さらにユーザの使用感を損ねることなく音情報を選択することができる。
【００４４】
また、処理部４５２は、数字列が所定桁数以上ではない場合において、数字列が特定の数字列の場合には、数字列を緊急発信番号をとして発信処理を行う。
すなわち、処理部４５２は、数字列が所定桁数（例えば、７桁）未満の場合でも、数字列が緊急発信番号（特定の数字列）に一致する場合には、数字列を緊急発信番号として発信処理を行う。ここで、緊急発信番号とは、警察（１１０番）、海上保安本部（１１８番）又は消防・救急（１１９番）へ緊急電話を発信する場合の電話番号のことである。
したがって、携帯電話機１は、入力操作キー１４により数字を入力させた場合でも、入力された数字列が特定の数字列の場合には数字列が緊急発信番号であると判断するので、音情報を選択することなく、緊急電話を発信することができる。
【００４５】
また、第２キーは、ソフトキーであってもよい。
ソフトキーとは、キーに対応する機能を示すシンボルを表示部２１における対応キーの極力近傍に表示させるものである。さらに操作部１１を構成するいずれか１つのキー、例えば、決定操作キー１５と対応する機能名（処理内容）を表示するシンボルとを対応させたソフトキーとしておけば、当該キーが操作された場合に実行されることになる処理を可視表示させておくことができる。
したがって、携帯電話機１は、第２キーがソフトキーとなっている場合、ソフトキー操作時の処理、例えば、所望の音情報を選択する処理など、ユーザが容易に理解することができ、使用感を損ねることなく音情報を選択することができる。
【００４６】
また、携帯電話機１は、表示部２１（図２参照）と、操作部１１と、アプリケーション制御部４５１と、処理部４５２とを備える。
操作部１１は、文字及び数字が割り当てられる入力操作キー１４と、文字及び数字が割り当てられない決定操作キー１５とを含む。
【００４７】
アプリケーション制御部４５１は、音情報の出力に係り、音情報と所定の文字列とを対応づけた情報を有する所定のアプリケーションを、当該アプリケーションによる音出力を維持させつつ非アクティブ状態とするバックグラウンド実行状態に移行可能である。所定の文字列は、音情報を特定する文字列である。例えば、所定の文字列は、音情報のファイル名である。なお、音情報が音楽データの場合には、ファイル名は曲名となる。
【００４８】
処理部４５２は、アプリケーション制御部４５１により所定のアプリケーションがバックグラウンド実行状態において入力操作キー１４が操作されると、所定の文字列を表示部２１に表示させ、決定操作キー１５の操作により所定の文字列が選択されると、情報に基づいて当該所定の文字列に対応する音情報を特定する特定処理を行う。
【００４９】
すなわち、処理部４５２は、入力操作キー１４が操作された場合、操作された入力操作キー１４に割り当てられる文字に対応する所定の文字列を表示部２１に表示させるよう制御処理を行う。より具体的には、処理部４５２は、入力操作キー１４の操作に基づいて文字列が表示部２１に表示された場合、当該文字列を含む又は当該文字列から始まる所定の文字列を表示部２１に表示させるよう制御処理を行う。なお、処理部４５２は、複数の所定の文字列を表示部２１に表示させるよう制御処理を行ってもよい。また、処理部４５２は、表示部２１に表示された所定の文字列が選択された場合、所定のアプリケーションが保有する情報を参照して、選択された所定の文字列に対応する音情報を特定する特定処理を行う。
【００５０】
したがって、携帯電話機１は、入力操作キー１４により文字列が入力されると、文字列に関連する所定の文字列を表示部２１に表示させ、決定操作キー１５の操作により所定の文字列が選択されると、当該所定の文字列に対応する音情報を特定するので、ユーザの使用感を損ねることなく音情報を選択することができる。
【００５１】
また、携帯電話機１は、表示部２１（図２参照）と、操作部１１と、アプリケーション制御部４５１と、処理部４５２とを備える。
操作部１１は、文字及び数字が割り当てられる入力操作キー１４を含む。
アプリケーション制御部４５１は、音情報の出力に係る所定のアプリケーションを、当該アプリケーションによる音出力を維持させつつ非アクティブ状態とするバックグラウンド実行状態に移行可能である。
【００５２】
処理部４５２は、アプリケーション制御部４５１により所定のアプリケーションがバックグラウンド実行された状態において入力操作キー１４が操作されると、当該入力操作キー１４に対応する数字を表示部２１に数字列として表示させ、数字列が所定桁数以上の場合には、数字列に基づいて発信関係の処理を行い、数字列が所定桁数以上ではない場合には、当該数字列に基づいて音情報を選択する関係の処理を行う。
【００５３】
すなわち、処理部４５２は、表示部２１に表示された数字列が所定桁数（例えば、７桁）以上であるか否かの判断を行う。処理部４５２は、数字列が所定桁数以上であると判断した場合には、数字列が電話番号であると判断し、発信キー１６の操作が行われると発信処理を行う。また、処理部４５２は、数字列が所定桁数以上ではないと判断した場合には、音情報の選択指示を行う。例えば、メモリ４４において、所定番号毎に１つの音情報が記憶されている場合に、処理部４５２は、数字列に対応する所定番号に記憶された音情報を選択するよう指示する。
【００５４】
したがって、携帯電話機１は、所望の音情報に関連する数字列を入力操作キー１４により入力させ、決定操作キー１５を操作すれば所望の音情報を選択するので、ユーザの使用感を損ねることなく音情報を選択することができる。
【００５５】
また、携帯電話機１は、無線通信部４６（図２参照）をさらに備える。無線通信部４６は、メインアンテナ４０及びＲＦ回路部４１から構成される。この場合、第１キーは、無線通信部４６により発呼を行うための電話番号を入力可能なテンキーである。
したがって、第１キーを操作することにより、電話番号を入力することができる。
【００５６】
次に、携帯電話機１の制御方法について説明する。図５は、携帯電話機の制御方法について説明するためのフローチャートである。
携帯電話機１の制御方法は、アプリケーション制御工程と、処理工程とを実行する。
【００５７】
アプリケーション制御工程Ｓ１は、音情報の出力に係る所定のアプリケーションを、当該アプリケーションによる音出力を維持させつつ非アクティブ状態とするバックグラウンド実行状態に移行させる工程である。
【００５８】
処理工程Ｓ２は、第１の操作が行われると、第１の操作に基づいて文字列を表示させると共に第１の操作に基づいて数字列を表示させ、文字列と数字列とが共に表示される状態において第２の操作が行われる場合には、所定のアプリケーションに、音出力の対象となる音情報について文字列に基づいて選択指示する選択処理を行い、文字列と数字列とが共に表示される状態において第３の操作が行われる場合には、数字列に基づいた発信処理を行う工程である。
【００５９】
したがって、携帯電話機１は、第１の操作に基づいて文字列と数字列とを共に表示させ、その後に第２の操作が行われる場合には所望の音情報を選択するので、ユーザの使用感を損ねることなく音情報を選択することができる。
【００６０】
次に、本実施形態の携帯電話機１の動作について説明する。
［エディタアプリケーションの起動］
まず、エディタアプリケーションを起動する場合の携帯電話機１の動作について説明する。図６は、所定のアプリケーション及びエディタアプリケーションを起動する場合の携帯電話機１の動作を説明するためのフローチャートである。
【００６１】
まず、ステップＳ１００において、アプリケーション起動部４５３は、ユーザによる操作部１１の操作に基づいて所定のアプリケーションを起動する。
ステップＳ１０１において、処理部４５２は、所定のアプリケーションが起動された後に操作部１１が操作された場合に、操作部１１が操作されたことを検知する。すなわち、処理部４５２は、操作部１１を構成するいずれかのキーが操作されたことを検知する。
【００６２】
ステップＳ１０２において、処理部４５２は、ステップＳ１０１の処理により検知された操作キーに、機能が割り当てられているか否かを判断する。操作キーに機能が割り当てられている場合（Ｙｅｓ）には、ステップＳ１０３に進む。操作キーに機能が割り当てられていない場合（Ｎｏ）には、ステップＳ１０４に進む。
【００６３】
ステップＳ１０３において、処理部４５２は、ステップＳ１０１の処理により検知されたキーの操作時間が所定時間以上であるか否かを判断する。例えば、処理部４５２は、キーがハードキーにより構成される場合に、ハードキーの押下が所定時間以上続いたか否かを判断する。キーの操作時間が所定時間以上であった場合（Ｙｅｓ）には、ステップＳ１０１の処理により検知されたキーに割り当てられる機能を実行するための処理に進む。キーの操作時間が所定時間以上ではなかった場合（Ｎｏ）には、ステップＳ１０４に進む。
【００６４】
ステップＳ１０４において、処理部４５２は、携帯電話機１にイヤホン４７（後述する図７（Ａ）参照）が接続されているか否かを判断する。イヤホン４７が接続されている場合（Ｙｅｓ）には、ステップＳ１０５に進む。イヤホン４７が接続されていない場合（Ｎｏ）には、ステップＳ１０６に進む。
【００６５】
ステップＳ１０５において、処理部４５２は、所定のアプリケーション起動モードで、文字列及び数字列を共に表示部２１に表示させるエディタアプリケーションを起動する。所定のアプリケーション起動モードとは、例えば、所定のアプリケーションが音楽をイヤホン４７（又はスピーカ２２）から出力する音楽再生アプリケーションである場合、エディタアプリケーションに入力された文字列及び数字列に基づいて音楽を検索（特定）することができるモードのことである。
【００６６】
ステップＳ１０６において、処理部４５２は、通常モードで、文字列及び数字列を共に表示部２１に表示させるエディタアプリケーションを起動する。通常モードとは、所定のアプリケーション起動モードではないモードのことである。具体的には、通常モードとは、エディタアプリケーションに入力された文字列及び数字列を所定のアプリケーション及びエディタアプリケーション以外の他のアプリケーション（一例として、メールアプリケーション）に入力させることができるモードである。
【００６７】
［エディタアプリケーションに文字及び数字を入力する場合の動作］
次に、エディタアプリケーションに文字列及び数字列を入力する場合の携帯電話機１の動作について説明する。図７は、エディタアプリケーションに文字列及び数字列を入力する場合の画面状態の遷移について説明するための図である。ここで、図７（Ａ）ないし図７（Ｄ）は、所定のアプリケーション起動モードにおける画面状態を示す図である。図７（Ｅ）及び図７（Ｆ）は、通常モードにおける画面状態を示す図である。
【００６８】
まず、アプリケーション起動モードにおける画面状態の遷移について説明する。
携帯電話機１は、待受画面（通信を待ち受けているとき又はアプリケーションの起動を待ち受けているときに表示される画面）を表示部２１に表示すると共に、所定のアプリケーション（例えば、音楽再生アプリケーション）によってイヤホン４７から音を出力する（図７（Ａ）参照）。
【００６９】
続いて、「１」及び「あ」が割り当てられるキーと、「２」及び「か」が割り当てられるキーとが操作された場合、表示部２１には、文字列「あか」と数字列「１２」とが共に表示させる（図７（Ｂ）参照）。なお、文字列「あか」は、表示部２１における文字列表示領域に表示される。また、数字列「１２」は、表示部２１における数字列表示領域に表示される。
【００７０】
続いて、センターキー（第２キー）が操作された場合、表示部２１には、文字列「あか」に対応する所定の文字列「赤いスイー．．．」、「赤い涙」及び「赤い星のブ．．．」が表示される（図７（Ｃ）参照）。なお、所定の文字列は、文字列「あか」から始まる又は文字列「あか」を含む音情報のファイル名（例えば、音楽データの曲名）である。
【００７１】
一方、文字列「あか」と数字列「１２」とが共に表示部２１に表示された状態（図７（Ｂ）参照）において発信キー１６（第３キー）が操作された場合、表示部２１には、数字列「１２」に対応する音情報が指定された状態で表示される（図７（Ｄ）参照）。すなわち、メモリ４４における所定番号「１２」に対応して音情報「風の町」が記憶されている場合、処理部４５２は、メモリ４４を参照して数字列「１２」に一致する所定番号「１２」を特定し、さらに、特定された所定番号「１２」に対応する音情報「風の町」を選択する。
【００７２】
次に、通常モードにおける画面状態の遷移について説明する。
携帯電話機１は、待受画面を表示部２１に表示する（図７（Ｅ）参照）。
続いて、「０」及び「わ」が割り当てられるキーが操作された場合、表示部２１には、文字列「わ」と数字列「を」とが共に表示される（図７（Ｆ）参照）。
【００７３】
次に、所定のアプリケーション起動モードにおける携帯電話機１の動作について説明する。図８は、所定のアプリケーション起動モードにおける携帯電話機１の動作について説明するためのフローチャートである。なお、所定のアプリケーション起動モードでは、所定のアプリケーションがバックグラウンド実行された状態になっている。すなわち、所定のアプリケーション起動モードに移行した携帯電話機１は、待受画面を表示部２１に表示した状態で、イヤホン４７から音を出力する状態となっている。
【００７４】
まず、ステップＳ２００において、処理部４５２は、入力操作キー１４（第１キー）が操作されたことを検知する。すなわち、処理部４５２は、第１の処理が行われたことを検知する。
ステップＳ２０１において、処理部４５２は、入力操作キー１４の操作に続いて、発信キー１６（第３キー）が操作されたか否かを判断する。すなわち、処理部４５２は、第３の処理が行われたか否かを判断する。発信キー１６が操作された場合（Ｙｅｓ）には、ステップＳ２０２に進む。発信キー１６が操作されていない場合（Ｎｏ）には、ステップＳ２１２に進む。
【００７５】
ステップＳ２０２において、処理部４５２は、ステップＳ２００の処理において検知した入力操作キー１４によりエディタアプリケーションに入力された数字列の桁数を検出する。
【００７６】
ステップＳ２０３において、処理部４５２は、ステップＳ２０２の処理により検出された数字列の桁数が５桁以下であるか否かを判断する。検出された桁数が５桁以下ではない場合（Ｎｏ）には、ステップＳ２０４に進む。検出された桁数が５桁以下の場合（Ｙｅｓ）には、ステップＳ２０６に進む。
なお、ステップＳ２０３において判断する数字列の桁数は、５桁に限定されることはない。すなわち、判断対象となる桁数は、音情報をメモリに保存することができる個数に応じて設定されればよい。例えば、音情報をメモリに９９９９９個保存することができる場合には、ステップＳ２０３において判断される桁数は、５桁となる。
【００７７】
ステップＳ２０４において、処理部４５２は、ステップＳ２０２の処理により検出された数字列の桁数が６桁であるか否かを判断する。桁数が６桁ではない場合（Ｎｏ）には、エディタアプリケーションに入力された数字列を電話番号として発信させるための処理に進む。桁数が６桁の場合（Ｙｅｓ）には、ステップＳ２０５に進む。
【００７８】
ステップＳ２０５において、処理部４５２は、エディタアプリケーションに入力された数字列を時間として扱い、再生中の音情報の再生時間を数字列（時間）までジャンプさせる。例えば、処理部４５２は、エディタアプリケーションに数字列「０００５１５」が入力されている場合、当該数字列を時間「００時間０５分１５秒」として扱い、再生中の音楽を「５分１５秒」まで進める（戻す）。
【００７９】
ステップＳ２０６において、処理部４５２は、エディタアプリケーションに入力された数字列が緊急発信番号（１１０番、１１８番及び１１９番）に一致するか否かを判断する。数字列が緊急発信番号に一致する場合（Ｙｅｓ）には、ステップＳ２０７に進む。数字列が緊急発信番号に一致しない場合（Ｎｏ）には、ステップＳ２１１に進む。
【００８０】
ステップＳ２０７において、処理部４５２は、数字列を緊急発信番号として発信するか確認するためのメッセージを表示部２１に表示させるよう制御処理を行う。
【００８１】
ステップＳ２０８において、処理部４５２は、数字列を緊急発信番号として発信させるための特定キー（例えば、発信キー１６）が操作されたか否かを判断する。特定キーが操作された場合（Ｙｅｓ）には、ステップＳ２０９に進む。特定キーが操作されない場合（Ｎｏ）には、ステップＳ２１１に進む。
【００８２】
ステップＳ２０９において、処理部４５２は、所定のアプリケーションを終了させるよう制御処理を行う。
ステップＳ２１０において、処理部４５２は、数字列を緊急発信番号として発信処理を行う。
【００８３】
ステップＳ２１１において、処理部４５２は、指定番号に対応する音情報へジャンプして再生処理を行う。すなわち、メモリ４４には、所定番号に対応させて音情報がメモリ４４に記憶される。処理部４５２は、メモリ４４を参照することにより数字列に一致する所定番号を特定し、さらに、特定された所定番号に対応する音楽情報を選択し、選択された音情報を再生するよう制御処理を行う。
【００８４】
ステップＳ２１２において、処理部４５２は、入力された文字列を確定させるためにセンターキー（第２キー）が操作されたことを検知する。すなわち、処理部４５２は、第２の処理が行われたことを検知する。
ステップＳ２１３において、処理部４５２は、センターキーの操作に基づいて、入力された文字列の確定処理を行う。
【００８５】
ステップＳ２１４において、処理部４５２は、確定処理が行われた文字列を表示部２１に表示させるために表示部２１の表示更新を実行させる。
【００８６】
ステップＳ２１５において、処理部４５２は、確定処理が行われた文字列で始まる又は当該文字列を含む音情報のファイル名を検索する。
ステップＳ２１６において、処理部４５２は、ステップＳ２１５の処理による検索の結果を表示部２１に表示させるよう制御処理を行う。
【００８７】
ステップＳ２１７において、処理部４５２は、ステップＳ２１６の処理によって表示部２１に表示された検索結果（音情報のファイル名）の中から所望の音情報が選択されたことを検知する。
ステップＳ２１８において、処理部４５２は、ステップＳ２１７の処理により選択された音情報を再生するよう制御処理を行う。
【００８８】
［所定の文字列の表示］
次に、エディタアプリケーションに文字列及び数字列が入力されたことに基づいて、文字列及び数字列と共に所定の文字列を表示部２１に表示させる場合について説明する。図９は、エディタアプリケーションに文字列及び数字列が入力されたことに基づいて、文字列及び数字列と共に所定の文字列を表示部２１に表示させる場合の画面状態の遷移について説明するための図である。
【００８９】
まず、携帯電話機１は、待受画面が表示部２１に表示されると共に、所定のアプリケーション（例えば、音楽再生アプリケーション）によってイヤホン４７から音楽が出力されている（図９（Ａ）参照）。
【００９０】
続いて、「１」及び「あ」が割り当てられるキーと、「２」及び「か」が割り当てられるキーとが操作されると、文字列「あか」及び数字列「１２」は、エディタアプリケーションに入力される。この場合、表示部２１には、文字列表示領域と数字列表示領域とが共に表示される（図９（Ｃ）参照）。文字列表示領域には、文字列「あか」と共に、候補文字表示領域が表示される。数字列表示領域には、数字列「１２」が表示される。
候補文字表示領域には、文字列「あか」が含まれる又は文字列「あか」から始まる音情報のファイル名（所定の文字列）が表示されると共に、平仮名から構成される文字列「あか」を他の仮名又は漢字に変換等するための候補文字が表示される。なお、音情報のファイル名には、候補文字と区別するために、記号を付してもよい。例えば、図９（Ｂ）に示すように、音情報のファイル名には、音符（記号）を付してもよい。
【００９１】
続いて、決定操作キー１５等の操作に基づいて所望の音情報「赤いスイープ」が選択された場合、表示部２１には、所望の音情報「赤いスイープ」が選択されたことを示す旨が表示される（図９（Ｃ）参照）。すなわち、図９（Ｃ）に示す場合では、候補文字表示領域に表示される音情報のファイル名「赤いスイープ」は、反転表示される。
続いて、選択された所望の音情報「赤いスイープ」は、再生される。この場合、表示部２１には、音情報「赤いスイープ」が再生されている旨が表示される（図９（Ｄ）参照）。
【００９２】
次に、エディタアプリケーションに文字列及び数字列が入力されたことに基づいて、文字列及び数字列と共に所定の文字列を表示部２１に表示させる場合の携帯電話機１の動作について説明する。図１０は、エディタアプリケーションに文字列及び数字列が入力されたことに基づいて、文字列及び数字列と共に所定の文字列を表示部２１に表示させる場合の携帯電話機１の動作を説明するためのフローチャートである。
【００９３】
ステップＳ３００において、処理部４５２は、入力操作キー１４が操作されたことを検知する。なお、入力操作キー１４が操作されることにより、携帯電話機１は、所定のアプリケーション起動モードに移行する。
ステップＳ３０１において、処理部４５２は、発信キー１６が操作されたか否かを判断する。発信キー１６が操作された場合（Ｙｅｓ）には、入力操作キー１４の操作に基づいて入力された数字列に関連する処理へ進む。なお、数字列に関連する処理とは、例えば、発信処理や音情報の検索処理等のことである。発信キー１６が操作されていない場合（Ｎｏ）には、ステップＳ３０２に進む。
【００９４】
ステップＳ３０２において、処理部４５２は、入力操作キー１４の操作に基づいて入力された文字列を含む又は文字列から始まる音情報のファイル名（所定の文字列）を検索する。
ステップＳ３０３において、処理部４５２は、表示部２１に候補文字表示領域を表示するよう制御処理を行う。さらに、処理部４５２は、ステップＳ３０２の処理により検索された音情報のファイル名と、候補文字とを候補文字表示領域に表示させるよう制御処理を行う。
【００９５】
ステップＳ３０４おいて、処理部４５２は、候補文字表示領域に表示された音情報のファイル名が選択されたか否かを判断する。ファイル名が選択された場合（Ｙｅｓ）には、ステップＳ３０５に進む。ファイル名が選択されていない場合（Ｎｏ）には、ステップＳ３０６に進む。
【００９６】
ステップＳ３０５において、処理部４５２は、選択された音情報の再生処理を行う。
ステップＳ３０６において、処理部４５２は、候補文字表示領域に表示される候補文字が選択されたと判断して、表示部２１に表示される文字列を候補文字に置換する表示更新処理を行う。
【００９７】
［ソフトキーが操作される場合の所定のアプリケーションの動作］
次に、表示部２１に表示されたソフトキーの操作に基づいて、所定のアプリケーションが動作する場合について説明する。図１１は、表示部２１に表示されたソフトキーの操作に基づいて、所定のアプリケーションが動作する場合の画面状態の遷移について説明するための図である。
【００９８】
まず、携帯電話機１は、待受画面を表示部２１に表示させると共に、所定のアプリケーション（例えば、音楽再生アプリケーション）によってイヤホン４７から音情報を出力させる（図１１（Ａ）参照）。
【００９９】
続いて、「１」及び「あ」が割り当てられるキーが２回と、「０」及び「わ」が割り当てられるキーとが操作された場合、表示部２１には、文字列「ああわ」と数字列「１１０」とが共に表示されると共に、ソフトキーとしての発呼キーが表示される（図１１（Ｂ）参照）。なお、数字列が緊急発信番号に一致する場合に、表示部２１には、発呼キーが表示される。
【０１００】
続いて、発信キー１６が操作された場合、表示部２１には、数字列に一致する所定番号の音情報のファイル名を表示させる（図１１（Ｃ）参照）。すなわち、メモリ４４における所定番号「１１０」に対応して音情報「今はもう秋」が記憶されている場合、処理部４５２は、数字列「１１０」に一致する所定番号「１１０」を特定し、特定された所定番号「１１０」に対応する音情報「今はもう秋」を選択する。
【０１０１】
また、文字列「ああわ」と数字列「１１０」とが共に表示部２１に表示された状態（図１１（Ｂ）参照）において発呼キーが操作された場合、処理部４５２は、数字列「１１０」を電話番号として発信処理を行う。この場合、表示部２１には、発信処理を実行している旨が表示される（図１１（Ｄ）参照）。
【０１０２】
また、文字列「ああわ」と数字列「１１０」とが共に表示部２１に表示された状態（図１１（Ｂ）参照）において、さらに  「４」及び「た」が割り当てられるキーが操作された場合、表示部２１には、文字列「ああわた」と数字列「１１０４」との両方が表示される（図１１（Ｅ）参照）。さらに、表示部２１には、文字列「ああわた」から始まる又は文字列「ああわた」を含む音データのファイル名「ああ私の涙…」（所定の文字列）が候補文字表示領域に挿入されて表示される（図１１（Ｅ）参照）。なお、処理部４５２は、数字列「１１０４」が緊急発信番号（１１０番、１１８番、１１９番）に一致しないので、ソフトキーとしての発呼キーを選曲キーに変更する（図１１（Ｅ）参照）。
【０１０３】
次に、表示部２１に表示されたソフトキーの操作に基づいて、所定のアプリケーションが動作する場合の携帯電話機１の動作について説明する。図１２は、表示部２１に表示されたソフトキーの操作に基づいて、所定のアプリケーションが動作する場合の携帯電話機１の動作を説明するためのフローチャートである。
【０１０４】
ステップＳ４００において、処理部４５２は、入力操作キー１４が操作されたことを検知する。
ステップＳ４０１において、処理部４５２は、所定のアプリケーション起動モードで、文字列及び数字列を共に表示部２１に表示させるエディタアプリケーションを起動する。
【０１０５】
ステップＳ４０２において、処理部４５２は、入力操作キー１４の操作に基づいてエディタアプリケーションに入力された数字列が緊急発信番号に一致するか否かを判断する。数字列が緊急発信番号に一致する場合（Ｙｅｓ）には、ステップＳ４０３に進む。数字列が緊急発信番号に一致しない場合（Ｎｏ）には、ステップＳ４０４に進む。
【０１０６】
ステップＳ４０３において、処理部４５２は、ソフトキーとしての発呼キーを表示部２１に表示させるよう制御処理を行う。
ステップＳ４０４において、処理部４５２は、ソフトキーとしての選曲キーを表示部２１に表示させるよう制御処理を行う。
【０１０７】
ステップＳ４０５において、処理部４５２は、さらに入力操作キー１４が操作されたか否かを判断する。入力操作キー１４が操作された場合（Ｙｅｓ）には、ステップＳ４０２に戻る。入力操作キー１４が操作されていない場合（Ｎｏ）には、ステップＳ４０６に進む。
【０１０８】
ステップＳ４０６において、処理部４５２は、ソフトキーが操作されたか否かを判断する。ソフトキーが操作されていない場合（Ｎｏ）には、音情報のファイル名の検索処理へ進む。ソフトキーが操作された場合（Ｙｅｓ）には、ステップＳ４０７に進む。
【０１０９】
ステップＳ４０７において、処理部４５２は、操作されたソフトキーが発呼キーであるか否かを判断する。発呼キーが操作された場合（Ｙｅｓ）には、ステップＳ４０８に進む。発呼キーが操作されていない場合（Ｎｏ）には、ステップＳ４０９に進む。
【０１１０】
ステップＳ４０８において、処理部４５２は、入力操作キー１４の操作に基づいて入力された数字列を緊急発信番号として発信処理を行う。
ステップＳ４０９において、処理部４５２は、入力操作キー１４の操作に基づいて入力された数字列に一致する音情報の検索処理を行う。
【０１１１】
以上説明したように、本実施形態では、操作部がハードキーから構成される場合について説明した。しかしながら、操作部は、タッチパネル（表示部）に表示されるソフトキーから構成されていてもよい。
【０１１２】
また、上述した実施形態では、本発明の携帯電話装置が携帯電話機１に適用される場合を例示して説明した。しかしながら、本発明の携帯電話装置は、この実施形態に限定されることはなく、ＰＨＳ（Ｐｅｒｓｏｎａｌ  Ｈａｎｄｙｐｈｏｎｅ  Ｓｙｓｔｅｍ）にも適用されることができる。
【０１１３】
また、上述した実施形態では、所定のアプリケーションとして音楽再生アプリケーションを例に説明を行ったが、テレビやラジオなどの放送アプリケーションでも良い。この場合、メモリに格納したＥＰＧ（電子番組表）や予め記憶した放送局名を実施例における曲名と同様に検索し、検索結果を表示し、選択させてもよい。
【符号の説明】
【０１１４】
１  携帯電話機（携帯電話装置）
１１操作部（キー操作部）
１４  入力操作キー
１５  決定操作キー
１６  発信キー
２１表示部
４４  メモリ（記憶部）
４５１  アプリケーション起動部
４５２  処理部
４６  無線通信部
【図１】
2011097299.tif 000003
【図２】
2011097299.tif 000004
【図３】
2011097299.tif 000005
【図４】
2011097299.tif 000006
【図５】
2011097299.tif 000007
【図６】
2011097299.tif 000008
【図７】
2011097299.tif 000009
【図８】
2011097299.tif 000010
【図９】
2011097299.tif 000011
【図１０】
2011097299.tif 000012
【図１１】
2011097299.tif 000013
【図１２】
2011097299.tif 000014